(57)【要約】【課題】  外部の空気を内部に導入して身体を冷却する衣服であって、着用者の脇の下を冷却することができる衣服を提供することを目的とする。【解決手段】  本発明に係る衣服１は、ファンにより外部の空気を内部に導入して身体を冷却する衣服１であり、袖ぐり５０の下には衣服１の内部の空気を排出する排気口６０が設けられている。袖ぐり５０の周囲には環状の弾性体からなる環状部材５１が設けられている。排気口６０は前身頃１０の縁１０ａと後身頃２０の縁２０ａと環状部材５１とで区画された領域に設けられている【選択図】  図３
2020147891.tif 000002
【特許請求の範囲】
【請求項１】
ファンにより外部の空気を内部に導入して身体を冷却する衣服であって、
袖ぐりの下に設けられた、当該衣服の内部の空気を排出する排気口を備える
ことを特徴とする衣服。
【請求項２】
当該衣服がベストであって、
前記袖ぐりの周囲に環状の弾性体からなる環状部材が設けられている
ことを特徴とする請求項１に記載の衣服。
【請求項３】
前記排気口が前身頃の縁と後身頃の縁と前記環状部材とで区画された領域に設けられている
ことを特徴とする請求項２に記載の衣服。
【請求項４】
前記排気口に通気性及び弾性を有するメッシュ素材が設けられている
ことを特徴とする請求項３に記載の衣服。
【請求項５】
襟の縁に帯状の弾性体からなる縁部材が設けられている
ことを特徴とする請求項２〜４のいずれかに記載の衣服。
【発明の詳細な説明】
【技術分野】
【０００１】
本発明は衣服に関し、特に外部の空気を内部に導入して身体を冷却する衣服に関する。
【背景技術】
【０００２】
夏の野外のような高温環境の下で着用される衣服として、外部の空気を内部に導入し、汗の気化熱で身体を冷却するような衣服が用いられている。この衣服には、外部の空気を導入するための開口が設けられており、その開口にはファンが取り付けられている。このファンを作動すると、強制的に空気が内部に取り入れられ、着用者の身体と衣服との間の空間を通り、外部に排出される。着用者の身体の周りを空気が流れることによって、身体が冷却されることになる。
【０００３】
衣服内部の空気が外部に排出される出口として、襟が設定される場合が多い（特許文献１参照）。その理由は、襟から排出される空気が、血管が集中する首回りを冷やすことにより、冷却効果が高まるためである。特許文献１に開示される衣服は、ファンにより導入された空気が衣服の内部をスムーズに通り襟から排出されるよう構成された衣服である。
【０００４】
その一方で、人の身体における冷却効果が高い部位として、脇の下が知られている。これは、人の身体において脇の下では表皮から比較的浅い部分を動脈が通っているからである。そのため、熱中症になった際の応急処置として、氷のうを脇の下に挟んで体温を下げるという手法が推奨されている。しかし、従来の身体を冷却する衣服では、脇の下を積極的に冷却することはできなかった。
【先行技術文献】
【特許文献】
【０００５】
【特許文献１】特開２０１５−７４８５２号公報
【発明の概要】
【発明が解決しようとする課題】
【０００６】
上記問題点を鑑みて、本発明は、着用者の脇の下を冷却することができる衣服を提供することを目的とする。
【課題を解決するための手段】
【０００７】
本発明は、上記課題を解決するためになされたもので、請求項１に記載の発明は、ファンにより外部の空気を内部に導入して身体を冷却する衣服であって、袖ぐりの下に設けられた、当該衣服の内部の空気を排出する排気口を備えることを特徴とする衣服である。
【０００８】
請求項２に記載の発明は、当該衣服がベストであって、前記袖ぐりの周囲に環状の弾性体からなる環状部材が設けられていることを特徴とする請求項１に記載の衣服である。
【０００９】
請求項３に記載の発明は、前記排気口が前身頃の縁と後身頃の縁と前記環状部材とで区画された領域に設けられていることを特徴とする請求項２に記載の衣服である。
【００１０】
請求項４に記載の発明は、前記排気口に通気性及び弾性を有するメッシュ素材が設けられていることを特徴とする請求項３に記載の衣服である。
【００１１】
請求項５に記載の発明は、襟の縁に帯状の弾性体からなる縁部材が設けられていることを特徴とする請求項２〜４のいずれかに記載の衣服である。
【発明の効果】
【００１２】
本発明によれば、身体を冷却する衣服であって、着用者の脇の下を冷却することが可能な衣服を提供することができる。
【図面の簡単な説明】
【００１３】
【図１】本発明の第一実施形態に係る衣服を示す正面図である。
【図２】本発明の第一実施形態に係る衣服を示す背面図である。
【図３】本発明の第一実施形態に係る衣服を示す右側面図である。
【図４】本発明の第一実施形態に係る衣服を着用した場合の空気の流れを説明する図であって、身体を省略して後身頃を見た背面図である。
【図５】本発明の第二実施形態に係る衣服を示す正面図である。
【発明を実施するための形態】
【００１４】
次に、本発明に係る衣服の実施形態について図面を参照しながら説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１５】
［第一実施形態］
本発明の第一実施形態に係る衣服の構造について、図１〜３に基づき説明する。図１は、本発明の第一実施形態に係る衣服を示す正面図である。図２は、本発明の第一実施形態に係る衣服を示す背面図である。図３は、本発明の第一実施形態に係る衣服を示す右側面図である。なお本発明に係る衣服は左右対称である。
【００１６】
本実施形態に係る衣服１は、袖が無いベストである。図１〜３に示すように、前身頃１０、後身頃２０、襟３０及び裾部４０が縫い合わされて、一体の衣服１が構成されている。図１に示すように、左右の前身頃１０，１０は、ファスナー１１で閉じられるよう構成されている。図２に示すように、後身頃２０には、二つの円形の吸気口２１，２１が設けられている。
【００１７】
吸気口２１，２１には、それぞれファン（図示省略）が取り付けられる。ファンを作動することによって、外部の空気が吸気口２１を通じて衣服１の内部に取り入れられる。このファンはバッテリー（図示省略）により駆動され、衣服１の内部に設けられたバッテリー収容部（図示省略）に収容される。なお吸気口２１は、取り付けるファンに応じて適宜な形状が採用される。
【００１８】
前身頃１０及び後身頃２０の上には襟３０が結合されており、ファスナー１１を閉じることで着用者の首と襟３０との間の隙間を小さくすることができる。前身頃１０及び後身頃２０の下には、ゴム紐が中に収められた裾部４０が縫い付けられており、着用時に裾部４０において身体との間の隙間を閉鎖するよう構成されている。
【００１９】
図３に示すように、前身頃１０と後身頃２０とは、左右の肩部及び側部において互いに縫合されている。また衣服１はベストであり、袖ぐり５０が開放している。袖ぐり５０の周囲には、環状の弾性体からなる環状部材５１が設けられている。衣服１の着用時には、着用者の腕の周囲に環状部材５１が密着し、これにより着用者の腕と袖ぐり５０との間の隙間が無くなるよう構成されている。なお、環状部材５１にはゴム紐が好適に使用される。
【００２０】
袖ぐり５０の下には、衣服１の内部の空気を排出する排気口６０が備えられている。図３に示す通り、排気口６０は、前身頃１０の縁１０ａと、後身頃２０の縁２０ａと、環状部材５１とで区画された略三角形の領域を占めている。本実施形態において排気口６０は、通気性および弾性を有するメッシュ素材が、前身頃１０の縁１０ａ、後身頃２０の縁２０ａ及び環状部材５１に縫合されることで構成されている。この衣服１を着用したとき、排気口６０は着用者の脇の下の近傍に位置することになる。
【００２１】
本実施形態において排気口６０は、環状部材５１の下に隣接して配置されている。排気口６０のメッシュ素材は弾性を有するため、着用者の腕が太い場合でも、排気口６０が伸びて拡大するとともに環状部材５１が伸びるため、着用者の腕の周囲に環状部材５１が密着し、着用者の腕と袖ぐり５０との間の隙間を確実に閉鎖することができる。
【００２２】
次に、本実施形態に係る衣服１を着用して身体を冷却する方法について、図４に基づいて説明する。図４は、本発明の第一実施形態に係る衣服を着用した場合の空気の流れを説明する図であって、身体を省略して後身頃を見た背面図である。
【００２３】
図４に示すように、衣服１を着用して吸気口２１，２１に取り付けられたファン（図示省略）を作動させると、流線Ｆで示すように吸気口２１を通じて外部から空気が衣服１の内部に流入する。ここで袖ぐり５０及び裾部４０においては、着用者の身体との間で隙間が無いため、衣服１の内部に流入した空気は流線Ｆで示す経路で流れ、一部分は首と襟３０との間の隙間から外部に排出され、他の部分は排気口６０から外部に排出される。空気が吸気口２１から入り外部に排出されるまで過程において、着用者の胴体が冷却されるとともに、首と襟３０との間の隙間を通過する空気により首元が冷却され、さらに排気口６０を通過する空気により脇の下が冷却される。
【００２４】
なお冷却の効果は空気の流量によって変化する。空気の流量は、排気口６０の大きさと、首と襟３０との間に形成された隙間の大きさとの関係によって変化する。首と襟３０との間の隙間を小さくするとこの部分を通過する空気の流量が減少する一方で、排気口６０を通過する空気の流量が増加するため、脇の下の冷却効果を強くすることができる。首と襟３０との間の隙間を大きくするとこの部分を通過する空気の流量が増加するため、首元の冷却効果を強くすることができる。首と襟３０との間の隙間はファスナー１１（図１参照）によって調整することができる。
【００２５】
［第二実施形態］
次に、本発明の第二実施形態に係る衣服の構造について、第一実施形態との相違点を中心に図５に基づき説明する。図５は、本発明の第二実施形態に係る衣服を示す正面図である。
【００２６】
本実施形態に係る衣服２と第一実施形態に係る衣服１との相違点は、襟３０の構造である。本実施形態に係る衣服２の襟３０の縁には、帯状の弾性体からなる縁部材３１が設けられている。縁部材３１にはゴム紐が好適に使用される。ファスナー１１を完全に閉じると、縁部材３１が首にほぼ密着するようになる。
【００２７】
縁部材３１が首にほぼ密着すると、首と襟３０との間の隙間が小さくなり、したがって排気口６０の面積が相対的に大きくなる。これにより、首元を通過する空気の流量を減らして脇の下付近を通過する空気の流量を増やし、首元よりも脇の下付近の冷却効果を強くすることができる。
【００２８】
［変形例］
第二実施形態に係る衣服２では、襟３０の縁に縁部材３１を設けることで首元の冷却効果を調整できるよう構成されていたが、縁部材３１を設けることなく、襟３０の形状を適宜に設定したり、襟３０にワイヤなどを内蔵するなどして、首元を通過する空気の流量と脇の下を通過する空気の量とを調節することもできる。
【００２９】
また、前述の実施形態に係る衣服１，２は、袖の無いベストであったが、袖を有する衣服とすることも可能である。このときも、袖ぐりの下に設けられた排気口から空気が外部に流れ出すので、着用者の脇の下付近が空気の通過により冷却される。なお袖を有する衣服とした場合、袖ぐりの周囲には弾性体の環状部材を設けなくてもよい。その場合、衣服の内部の空気の流れとして、袖ぐりから袖を経由して袖口から外部に流出する経路の流れも発生する。
【００３０】
また、前述の実施形態に係る衣服１，２では、排気口をメッシュ素材で構成していたが、通気性を有する適宜の素材で構成することも可能である。さらに、排気口を何らの素材もない空隙とすることも可能である。また、前述の実施形態に係る衣服１，２では、排気口を、前身頃の縁と後身頃の縁と環状部材とで区画された略三角形の領域として設定していたが、袖ぐりの下に位置する任意の形状として設定することができる。また、排気口を環状部材に隣接させずに、環状部材から離して配置することも可能である。
【符号の説明】
【００３１】
１，２  衣服
１０    前身頃
１０ａ  縁
１１    ファスナー
２０    後身頃
２０ａ  縁
２１    吸気口
３０    襟
３１    縁部材
４０    裾部
５０    袖ぐり
５１    環状部材
６０    排気口
Ｆ      流線
【図１】
2020147891.tif 000003
【図２】
2020147891.tif 000004
【図３】
2020147891.tif 000005
【図４】
2020147891.tif 000006
【図５】
2020147891.tif 000007